(57)【要約】【目的】廃棄物処理、中でも放射性廃棄物の問題は大きな社会問題となっている。これらの問題を合目的に解決すために、  かつて1999年に、「廃棄物の底泥深層置換処理法」(JP3000193)を発明し、この技術を改善し問題解決に役立てようとするものである。【課題】深層底泥には断層や砂層、礫層が存在し、地下水脈となっている。底泥深層置換処理された廃棄物の汚染水が地層や地下水脈を通じて地下水を汚染するおそれがある。【解決手段】このため、廃棄物を底泥深層に圧入処理を行うまえに、あらかじめ防水（放射能防御）粘土を圧入し、圧入した廃棄物と底泥深層の地下水を遮断することを特徴とした防水粘土を圧入する廃棄物の底泥深層置換処理法、【選択図】  図２
2013057813.tif 000002
【特許請求の範囲】
【請求項１】
水底地盤深くケイシングを挿入し、廃棄物を底泥深層に圧入処理を行う「廃棄物の底泥深層置換処理法(ＪＰ３０００１９３)」において、廃棄物の圧入処理を行う前に、あらかじめ防水（放射能防御）粘土を圧入し、圧入した廃棄物と深層地盤を遮断することを特徴とした防水（放射能防御）粘土を圧入する廃棄物の水底深層地盤置換処理法
【発明の詳細な説明】
【技術分野】
【０００１】
本願発明は防水（放射能防御）粘土を圧入する廃棄物の水底地盤深層置換処理法に関する。
【背景技術】
【０００２】
従来の廃棄物は海域を鋼矢板等で仕切りこの中に埋め立て処分を行ない表面の覆土を行なうもので、雨水による滲出汚水など環境破壊につながる事が多かった。
また、焼却処分についても排ガスによる大気汚染など環境破壊が生じてきた。
さらに、従来の水域の埋め立てや焼却による廃棄物の処理方法では、コストの上でも、技術的にも 処分地の立地が大きな社会問題となっている。
このため、1999年に、(JP3000193)「廃棄物の底泥深層置換処理法」を発明した。この技術は、ケイシングを底泥深く挿入して、底泥深層に廃棄物を注入処理を行う、廃棄物の海底泥深く圧入処理技術である。
【特許文献１】特許公報３０００１９３号
【発明の開示】
【発明が解決しようとする課題】
【０００３】
水底の深層地盤は一朝に形成されたものでなく、何千、何万年の年月を要して構成されたもので、この間いろんな天変地異があり、深層地盤には断層や砂層、礫層が存在し、地下水脈となっている。
このため、水底深層地盤に置換処理された廃棄物の汚染水が地層や地下水脈を通じて流出するなど、地下水を汚染する原因となる。
更に、放射能廃棄物を水底地盤深く置換処理法で処理しようとする場合にも同じ問題が生じる。
【課題を解決するための手段】
【０００４】
このため、これらの問題を解決するため、あらかじめ廃棄物を投入する前に防水粘土を、（放射能廃棄物の場合に放射能防御粘土を）注入し、この中に廃棄物を圧入することにより、廃棄物の汚染水や放射能が水底深層地盤内への流出を防止しようとするものである。さらに、放射能廃棄物を処理する場合には、放射能の吸着性の強い粘土鉱物を使用する事により、放射性廃棄物の放射能を防御することが可能である。【０００５】
防水粘土は公知のベントナイト、油性粘土などゲル状の防水粘土であり、特に放射能廃棄物を処理しようとする場合には放射能の吸着性の高い公知のモンモリナイト等の粘土鉱物を主成分とした防水粘土を使用する。
【発明の効果】
【０００６】
水底地盤深く挿入された廃棄物外圧は均しく、安定した格納構造である。
（一般の廃棄物） 
水底地盤深くケイシングを挿入し、ケイシング上端より、あらかじめ挿入された防水粘土により、底泥深層の断層や地下水脈の遮断された格納効果を有する。
廃棄物の圧入により、 水底地盤深く挿入された廃棄物は外気に曝すことなく、また、飛散や悪臭を防止する格納効果を有する。【０００７】
（、放射能汚染廃棄物）
更に、放射能汚染廃棄物については、図2、図3に示すように、水中の水底地盤深く、放射能防護粘土の中に圧入された放射能汚染廃棄物の放射能汚染防止効果は（1）放射能防護粘土による防御効果。（2）水底地盤深く埋設の効果。（3）水の放射能遮断効果が大きく、水底下深層地盤内に保存された放射性廃棄物場所は最も頑強な中性子の放射能からも防御される。
このように、放射能汚染廃棄物は幾重にも防護された格納効果がある。
【発明を実施するための最良の形態】
【０００８】
（作業開始の前処理）
廃棄物を圧入しようとする水底地盤深くにケイシング１を挿入し、あらかじめ防水（放射能防御）粘土を十分圧入した後、廃棄物を注入することにより、水底深層地盤が廃棄物に直接触れる事無く、水底地盤深く廃棄物を処理しようとするものである。【０００９】
（完了後の処理） 
底泥深層置換処理の終了後、防水（放射能防御）粘土投入し、廃棄物を防水（放射能防御）粘土で密閉する。
完了に当って、ケイシング内に底泥を十分満たした後、ケイシングを引き抜く。【００１０】
（廃棄物の地下汚染防止）
廃棄物を水底地盤深くに圧入処理を行うまえに、あらかじめ防水（放射能防御）粘土を圧入し、圧入した廃棄物と底泥深層の地下水を遮断することにより廃棄物の地下水汚染を防止する。【００１１】
放射能廃棄物については防水粘土の粘土鉱物に放射能の吸着性の高い公知の粘土鉱物を使用する事により放射能の遮断作用が高められる。
（完了後） 
底泥深層置換処理の完了後、図３に示すような、ケイシングの開口部を８の底泥等で密閉し、底泥下の廃棄物内に達するパイプを設置し、設置されたパイプ７によって廃棄物内の圧力を外水位以下に保持することにより滲出汚水を防止する。
一般的には廃棄物より発生するガスをパイプ７で自然に放出することにより内圧が低下する。
【実施例】
【００１２】
図１に示すように、ケイシング１を底泥２深く挿入し、防水（放射能防御）粘土をポンプや図に示すホッパ−５に投入し十分水底地盤内に注入する。
その後、図2に示す様にケイシング内に廃棄物を注入すると廃棄物４はケイシング１の中を落下し、廃棄物の圧力によって、水底地盤（泥）を押しのけて、水底地盤（泥）深く図２のように廃棄物と水底地盤（泥）深く置換される。
廃棄物の注入が完了すれば、廃棄物の代わりに防水（放射能防御）粘土を投入し、底泥などの間詰材８を投入し、圧力のバランスをとってケイシングを引き抜く。
時には、この作業と前後して、水底地盤深く注入された廃棄物に達するガス抜きパイプ７を挿入し、図３の状態とで廃棄物の管理を行う。
【図面の簡単な説明】
【００１３】
【図１】第１ 図は 、廃棄物の水底深層地盤置換処理法を実施する前に防水（放射能防御）粘土を注入した状態の横断図である。
【図２】第２ 図は 、水底深層地盤に挿入された廃棄物が防水（放射能防御）粘土により遮断された状態の横断図である。
【図３】第３ 図は、防水（放射能防御）粘土による廃棄物の水底深層地盤置換処理の終了後の横断図である。
【符号の説明】
【００１４】
０  防水（放射能防御）粘土
１ ケイシング
２ 水底地盤
３ 水
４ 廃棄物
５ ホッパ−
６ フロウト
７ ガス、水抜きパイプ
８ 間詰め材
９ 積載荷重
【図１】
2013057813.tif 000003
【図２】
2013057813.tif 000004
【図３】
2013057813.tif 000005
【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
廃棄物を底泥深層に圧入処理を行う「ＪＰ３０００１９３廃棄物の底泥深層置換処理法」において、水底地盤深くケイシングを挿入し、ケイシング上端部より廃棄物を投入する前に防水粘土又は放射能防御粘土を投入し、重力により底泥深層に圧入処理を行う。時には台船とケイシングを固定し、台船の重力をケイシングを通じ水底地盤深くに伝達させ、水底地盤を破壊して防水粘土又は放射能防御粘土を圧入する。さらにケイシング上端部を密閉し、ケイシングの摩擦力を利用して空気や液圧をかけ、防水粘土又は放射能防御粘土を十分底泥深層に圧入処理を行なつた後、ケイシング上端部より廃棄物を投入する。
このように、廃棄物の圧入処理を行う前に、あらかじめ、防水粘土又は放射能防御粘土を投入し、圧入を先行させ、廃棄物と水底の深層地盤の間に防水粘土又は放射能防御粘土を挿入して、水底の深層地盤の水密性や放射能の防御性を高ることを特徴とする防水粘土又は放射能防御粘土を圧入する廃棄物の水底深層地盤置換処理法。
【国際調査報告】
2013057813.tif 000006
2013057813.tif 000007
2013057813.tif 000008
2013057813.tif 000009